(57)【要約】【課題】複数の頁のうちいずれか１つの頁の画像に含まれる文字画像を、他の頁に対する処理に利用し得るようにする。【解決手段】ＣＰＵ１１は、画像取得部１７が読み込んだ特定頁の頁数に対応する各記入領域の添付先情報を取得する。そして、ＣＰＵ１１は、各記入領域に添付先が定められているか否かを記入領域毎に判断する。記入領域に添付先が定められている場合には、ＣＰＵ１１は、特定頁の画像データから、その記入領域の記入領域位置情報で示される矩形部分のデータを、文字を表す文字画像データとして抽出する。そして、ＣＰＵ１１は、この文字画像データを、特定頁に対応付けるとともに、添付先情報が示す添付先である特定頁以外の頁に対応付けてＲＡＭ１３に記憶する。【選択図】図２
2011008446.tif 000002
【特許請求の範囲】
【請求項１】
複数の頁の各画像を表す画像データを取得する画像データ取得手段と、
前記画像データ取得手段により取得された前記画像データであって、前記複数の頁のうち少なくともいずれか１つの頁である特定頁の画像を表す画像データから、当該特定頁の画像データに含まれる、文字を表す文字画像データを抽出する抽出手段と、
前記抽出手段により抽出された文字画像データを、前記特定頁における当該文字画像データの位置に応じて決められた、当該特定頁以外の頁の画像データに対応付けて出力する出力手段と
を具備することを特徴とする画像処理装置。
【請求項２】
前記出力手段は、前記抽出手段により抽出された前記文字画像データに文字認識処理を施して得られた文字を示す文字情報を、前記特定頁以外の頁の画像データに対応付けて出力する
ことを特徴とする請求項１に記載の画像処理装置。
【請求項３】
前記画像データ取得手段は、或る解像度で読み取られた、前記特定頁の画像を表す第１の画像データと、当該或る解像度よりも低い解像度で読み取られた、前記特定頁以外の頁の画像を表す第２の画像データとを取得する
ことを特徴とする請求項２に記載の画像処理装置。
【請求項４】
前記画像データ取得手段は、或る階調で読み取られた、前記特定頁の画像を表す第１の画像データと、当該或る階調よりも高い階調で読み取られた、前記特定頁以外の頁の画像を表す第２の画像データとを取得する
ことを特徴とする請求項１に記載の画像処理装置。
【請求項５】
前記出力手段は、前記抽出手段により抽出された文字画像データを、前記特定頁以外の頁の画像データに対応付けて、当該特定頁以外の頁に応じて決められた出力先へ出力する
ことを特徴とする請求項１に記載の画像処理装置。
【請求項６】
複数種類の頁の書式を表す書式情報を記憶する書式情報記憶手段と、
前記画像データ取得手段により取得された画像データを解析して当該画像データが表す頁の書式を表す書式情報を求め、前記書式情報記憶手段が記憶する書式情報と比較して、当該頁の書式を特定する書式特定手段と、を具備し、
前記抽出手段は、前記特定頁の画像を表す画像データから、前記書式特定手段により特定された書式に応じて決められた領域にある前記文字画像データを抽出する
ことを特徴とする請求項１に記載の画像処理装置。
【請求項７】
前記抽出手段は、前記特定頁の画像を表す画像データから、当該特定頁に応じて決められた領域にある前記文字画像データを抽出する
ことを特徴とする請求項１に記載の画像処理装置。
【請求項８】
前記出力手段は、前記抽出手段により抽出された文字画像データを、前記特定頁以外の頁の画像データにおいて予め定められた領域にある画像データに対応付けて出力する
ことを特徴とする請求項１に記載の画像処理装置。
【請求項９】
前記出力手段は、前記抽出手段により抽出された文字画像データを、前記特定頁以外の頁の画像データにおいて当該文字画像データの位置に応じた領域にある画像データと置き換えて出力する
ことを特徴とする請求項１に記載の画像処理装置。
【発明の詳細な説明】
【技術分野】
【０００１】
本発明は、画像処理装置に関する。
【背景技術】
【０００２】
肉筆により記入する帳簿や伝票等の帳票には、ノンカーボン紙のような感圧紙を用いたものがある。このような帳票は、複写帳票と呼ばれており、複数枚の感圧紙が重ねられて一組を成している。この一組の複写帳票に万年筆やボールペン等で文字を記入すると、記入した頁の下に重ねられている頁にも筆圧がかかり、記入した文字と同じ文字が複写される。このような複写帳票を用いることにより、正・副書類の作成が容易になるが、副書類に複写された文字は不鮮明になりやすい。
【０００３】
ところで、複数頁で構成される文書をスキャナ等で読み込む際に、頁に適当な書式を割り当てて、記入されている内容を読み取る技術が開発されている。特許文献１には、既に認識したレイアウトを基に、次のレイアウトの取得方法を決定する技術が開示されている。特許文献２には、複数頁で構成される帳票画像の各頁の特徴量を算出して複数の登録帳票の各頁の特徴量とそれぞれ比較し、登録帳票毎に算出した類似度に基づいて帳票画像に対応する登録帳票を決定する技術が開示されている。特許文献３には、複数頁にわたる文章を読み込み活字認識する場合に、最初の頁の切り出し情報等を活用して、２頁以降の頁の文字の切り出しを簡略化する技術が開示されている。
【先行技術文献】
【特許文献】
【０００４】
【特許文献１】特開２０００−１８２０５５号公報
【特許文献２】特開２００５−１１５５７３号公報
【特許文献３】特開平１１−７４９３号公報
【発明の概要】
【発明が解決しようとする課題】
【０００５】
本発明の目的は、複数の頁のうちいずれか１つの頁の画像に含まれる文字画像を、他の頁に対する処理に利用し得るようにすることにある。
【課題を解決するための手段】
【０００６】
上述した課題を解決するため、本発明の請求項１に係る画像処理装置は、複数の頁の各画像を表す画像データを取得する画像データ取得手段と、前記画像データ取得手段により取得された前記画像データであって、前記複数の頁のうち少なくともいずれか１つの頁である特定頁の画像を表す画像データから、当該特定頁の画像データに含まれる、文字を表す文字画像データを抽出する抽出手段と、前記抽出手段により抽出された文字画像データを、前記特定頁における当該文字画像データの位置に応じて決められた、当該特定頁以外の頁の画像データに対応付けて出力する出力手段とを具備することを特徴とする。
【０００７】
また、本発明の請求項２に係る画像処理装置は、上述の態様において、前記出力手段は、前記抽出手段により抽出された前記文字画像データに文字認識処理を施して得られた文字を示す文字情報を、前記特定頁以外の頁の画像データに対応付けて出力することを特徴とする。
【０００８】
また、本発明の請求項３に係る画像処理装置は、上述の請求項２に記載の態様において、前記画像データ取得手段は、或る解像度で読み取られた、前記特定頁の画像を表す第１の画像データと、当該或る解像度よりも低い解像度で読み取られた、前記特定頁以外の頁の画像を表す第２の画像データとを取得することを特徴とする。
【０００９】
また、本発明の請求項４に係る画像処理装置は、上述の態様において、前記画像データ取得手段は、或る階調で読み取られた、前記特定頁の画像を表す第１の画像データと、当該或る階調よりも高い階調で読み取られた、前記特定頁以外の頁の画像を表す第２の画像データとを取得することを特徴とする。
【００１０】
また、本発明の請求項５に係る画像処理装置は、上述の態様において、前記出力手段は、前記抽出手段により抽出された文字画像データを、前記特定頁以外の頁の画像データに対応付けて、当該特定頁以外の頁に応じて決められた出力先へ出力することを特徴とする。
【００１１】
また、本発明の請求項６に係る画像処理装置は、上述の態様において、複数種類の頁の書式を表す書式情報を記憶する書式情報記憶手段と、前記画像データ取得手段により取得された画像データを解析して当該画像データが表す頁の書式を表す書式情報を求め、前記書式情報記憶手段が記憶する書式情報と比較して、当該頁の書式を特定する書式特定手段と、を具備し、前記抽出手段は、前記特定頁の画像を表す画像データから、前記書式特定手段により特定された書式に応じて決められた領域にある前記文字画像データを抽出することを特徴とする。
【００１２】
また、本発明の請求項７に係る画像処理装置は、上述の態様において、前記抽出手段は、前記特定頁の画像を表す画像データから、当該特定頁に応じて決められた領域にある前記文字画像データを抽出することを特徴とする。
【００１３】
また、本発明の請求項８に係る画像処理装置は、上述の態様において、前記出力手段は、前記抽出手段により抽出された文字画像データを、前記特定頁以外の頁の画像データにおいて予め定められた領域にある画像データに対応付けて出力することを特徴とする。
【００１４】
また、本発明の請求項９に係る画像処理装置は、上述の態様において、前記出力手段は、前記抽出手段により抽出された文字画像データを、前記特定頁以外の頁の画像データにおいて当該文字画像データの位置に応じた領域にある画像データと置き換えて出力することを特徴とする。
【発明の効果】
【００１５】
請求項１に係る画像処理装置によれば、複数の頁のうちいずれか１つの頁の画像に含まれる文字画像を、他の頁に対する処理に利用し得るようにすることができる。
請求項２に係る画像処理装置によれば、複数の頁のうちいずれか１つの頁の画像に含まれる文字画像から文字認識処理を施して得た文字情報を、他の頁に対する処理に利用し得るようにすることができる。
請求項３に係る画像処理装置によれば、他の頁の画像を読み取るときの解像度で文字認識処理を施す文字画像を読み取った場合に比べて、高い精度で文字認識を行うことができる。
請求項４に係る画像処理装置によれば、複数の頁のうちいずれか１つの頁の画像に含まれる文字画像のデータ量を小さくすることができる。
請求項５に係る画像処理装置によれば、複数の頁のうちいずれか１つの頁の画像に含まれる文字画像を、他の頁に対する処理に利用し得るようにすることができる。
請求項６に係る画像処理装置によれば、頁の画像に基づいてその頁の書式を特定することができる。
請求項７に係る画像処理装置によれば、複数の頁のうちいずれか１つの頁の画像において、その頁に応じて決められた領域にある文字画像を、他の頁に対する処理に利用し得るようにすることができる。
請求項８に係る画像処理装置によれば、複数の頁のうちいずれか１つの頁の画像に含まれる文字画像を、他の頁の画像データにおいて予め定められた領域にある画像データと関連付けて利用し得るようにすることができる。
請求項９に係る画像処理装置によれば、複数の頁のうちいずれか１つの頁の画像に含まれる文字画像を、他の頁の画像においてその文字画像の位置に応じた領域にある画像の替わりに利用し得るようにすることができる。
【図面の簡単な説明】
【００１６】
【図１】画像処理システムの全体構成を示す図である。
【図２】画像処理装置の全体構成を示すブロック図である。
【図３】記憶部に記憶された書式情報の構成を示す図である。
【図４】画像処理装置により読み取られる帳票の１頁目の例を示した図である。
【図５】この帳票の２頁目の例を示した図である。
【図６】この帳票の３頁目の例を示した図である。
【図７】記入領域の位置を表す記入領域位置情報の定義を説明する図である。
【図８】画像処理装置における帳票読み取りの動作の流れを表すフロー図である。
【発明を実施するための形態】
【００１７】
１．定義
以下に用語の定義を説明する。
書式とは、予め定められた帳票の構成であって、帳票に描かれる罫線や囲み線などにより形成される領域の配置や位置を示すものをいう。この領域には、例えばペン等の筆記用具で文字が記入されたり、印鑑を捺印することにより印影が記入されたりする。
書式情報とは、帳票の書式を表す情報及びその関連情報であり、上述の領域の位置等を示す数値や、各領域の意味を示すタグ、頁間における領域の利用関係等が含まれる。
記入領域とは、書式情報で定められた領域のうち、文字が記入される領域をいう。
【００１８】
２．構成
以下、本発明の実施形態である画像処理システム９の構成を説明する。
２−１．全体構成
図１は、画像処理システム９の全体構成を示す図である。画像処理装置１は、ローカルネットワーク３やインターネット等の通信ネットワーク４を介して、外部処理装置２ａ，２ｂ，２ｃ（以下、特に区別の必要がない場合は、これらを総称して「外部処理装置２」と記す）と、情報の遣り取りをする。
【００１９】
２−２．画像処理装置の構成
図２は、画像処理装置１の全体構成を示すブロック図である。ＣＰＵ１１は、ＲＯＭ１２に記憶されているブートローダや記憶部１４に記憶されているコンピュータプログラムを読み出して実行することにより画像処理装置１の各部を制御する。ＲＯＭ１２は半導体素子等で構成された読み出し専用の不揮発性記憶装置である。このＲＯＭ１２には、記憶部１４に記憶されている基本ＯＳ（Operating System）をＲＡＭ（Random Access Memory）１３にロードするためのブートローダやＢＩＯＳ（Basic Input/Output System）などが記憶されている。ＲＡＭ１３はＣＰＵ１１がプログラムを実行する際のワークエリアとして利用される。記憶部１４はハードディスクドライブやＥＥＰＲＯＭ（Electrically Erasable Programmable Read Only Memory）などの大容量の不揮発性記憶装置であり、ＣＰＵ１１に読み込まれるプログラムを記憶する。また、記憶部１４は、帳票の書式情報１４１が記憶されている。書式情報１４１の詳細については、後述する。
【００２０】
操作部１５は各種の指示を入力するための十字キーやボタン等を備えており、利用者（以下、ユーザともいう）による操作を受け付けてその操作内容に応じた信号をＣＰＵ１１に供給する。表示部１６は、例えば、液晶表示面を有しており、ＣＰＵ１１からの指示に応じて画像を表示する。画像取得部１７は、帳票を表す画像データを取得する装置であり、例えば、用紙上に描かれた画像を光学的に読み取って、その画像に応じた画像データを生成するスキャナなどである。通信部１８は、例えば各種のモデムや無線通信回路、シリアルインタフェースや、無線インタフェースなどであり、外部機器との間でデータの遣り取りを行う。
【００２１】
２−３．書式情報の構成
図３は、記憶部１４に記憶された書式情報１４１の構成を示す図である。書式情報１４１は、帳票の名称である帳票名毎に記憶されている。帳票名リスト１４１０は、書式情報１４１が記憶する全帳票の帳票名をリストにしたものであり、書式情報１４１に記憶された内容を帳票毎に区分けする。領域定義表１４１１及び送付先定義表１４１２は、帳票名リスト１４１０に記載された帳票名毎にそれぞれ記述される。領域定義表１４１１には、帳票の記入領域を識別する情報である「記入領域識別情報」と、この記入領域の位置を表す「記入領域位置情報」と、この記入領域に基づいて生成される文字の情報（以下、文字情報という）を添付する頁を表した「添付先情報」が、記入領域毎に対応付けられて記述されている。記入領域識別情報は、その記入領域の番号と、その記入領域の意味を示すタグ名とを含む情報である。記入領域位置情報は、記入領域の矩形を特定する２点のｘ，ｙ座標をそれぞれ記述した情報である。添付先情報には、帳票の全頁について、その頁を特定頁とするときに各文字情報を添付する添付先となる特定頁以外の頁を表す頁数が記述されている。この添付先情報は、特定頁の記入領域毎に決められている。すなわち、添付先情報は、その特定頁における文字画像データの位置に応じて決められている。
送付先定義表１４１２には、頁の画像データを送付する送付先である外部処理装置２の識別情報を示す「送付先情報」と、頁の画像データのうち送付先に送付する領域を示す「送付領域情報」が頁毎にそれぞれ記述されている。
【００２２】
図３に示すように、添付先情報に「２，３」が記述されている場合には、その記入領域の添付先が２頁と３頁であることを示しており、添付先情報に「−」が記述されている場合には、添付先がないことを示している。また、同図の例において、例えば、帳票の１頁目の送付先は、１頁に対応する送付先情報に記述された「２ａ」で示される外部処理装置２ａである。この送付先情報とは、頁に応じて決められた出力先を特定する情報であり、具体的には外部処理装置のＩＰアドレスや、外部処理装置に対応付けられたメールアドレス等である。
【００２３】
なお、上述の文字情報は、具体的には文字認識処理により文字画像データから抽出した文字列にタグ名を組み合わせて生成される。例えば、対象となる記入領域の画像を表す画像データから「富士一郎」という文字列が生成され、その記入領域に対応付けられているタグ名として「氏名」を取得したとすると、画像処理装置１のＣＰＵ１１は、これらを組み合わせて「＜氏名＞富士一郎＜／氏名＞」という文字情報を生成する。
【００２４】
２−４．帳票の構成
図４は、画像処理装置１により読み取られる帳票の１頁目の例を示した図である。この帳票の１頁目である頁Ｂ１には、配送元の氏名、住所、及び、電話番号がそれぞれ記入される記入領域Ｂ１１１，Ｂ１２１，Ｂ１２２と、配送先の氏名、住所、及び、電話番号がそれぞれ記入される記入領域Ｂ１３１，Ｂ１３２，Ｂ１３３と、配送される品物を示す品物、配送される数である個数、及び、配送にかかる料金がそれぞれ記入される記入領域Ｂ１４１，Ｂ１４２，Ｂ１４３と、確認者の署名が記入される記入領域Ｂ１５１が定められている。捺印領域Ｂ１１０、Ｂ１５０は、記入領域Ｂ１１１，Ｂ１５１にそれぞれ重畳して印鑑が捺印された領域である。なお、頁表示領域Ｂ１０には、その頁の頁数と帳票が有する総頁数とが予め表示されている。
【００２５】
図５は、この帳票の２頁目の例を示した図である。この帳票の２頁目である頁Ｂ２には、上述の記入領域Ｂ１１１、Ｂ１２１、Ｂ１２２，Ｂ１３１，Ｂ１３２，Ｂ１３３にそれぞれ対応した位置に、記入領域Ｂ２１１、Ｂ２２１、Ｂ２２２，Ｂ２３１，Ｂ２３２，Ｂ２３３が定められている。利用者がこの帳票に記入する際に、同図の斜線で表す領域の上には頁Ｂ１が重ねられ、頁Ｂ１のうちこれらの領域に対応する領域は、感圧紙で出来ている。したがって、頁Ｂ２のこれらの領域には、頁Ｂ１で記入された文字が複写される。なお、頁表示領域Ｂ２０には、その頁の頁数と帳票が有する総頁数とが予め表示されている。
【００２６】
図６は、この帳票の３頁目の例を示した図である。この帳票の３頁目である頁Ｂ３には、上述の記入領域Ｂ１１１、Ｂ１４１、Ｂ１４２，Ｂ１４３，Ｂ１５１にそれぞれ対応した位置に、記入領域Ｂ３１１、Ｂ３４１、Ｂ３４２，Ｂ３４３，Ｂ３５１が定められている。利用者がこの帳票に記入する際に、頁Ｂ３の上には頁Ｂ２が重ねられ、頁Ｂ２のさらに上には頁Ｂ１が重ねられる。そして、頁Ｂ３の上に重ねられる頁Ｂ２のうち、同図の斜線で表す領域に対応する領域は、感圧紙で出来ている。したがって、頁Ｂ３のこれらの領域には、頁Ｂ１で記入された文字が頁Ｂ２を介して複写される。なお、頁表示領域Ｂ３０には、その頁の頁数と帳票が有する総頁数とが予め表示されている。
【００２７】
図７は、記入領域の位置を表す記入領域位置情報の定義を説明する図である。図の点Ｏは、頁の端点であり、その頁について画像取得部１７が最初に読み取る点である。同図に示す矢線ｘは画像取得部１７の主走査方向を示し、矢線ｙは副走査方向を示す。同図に示す記入領域Ｂ１１１は、点Ｐ１と点Ｐ２とを対角に持つ矩形である。点Ｐ１の主走査方向の位置を示すｘ座標はｘ１であり、副走査方向の位置を示すｙ座標はｙ１である。点Ｐ２のｘ座標はｘ２であり、ｙ座標はｙ２である。ｘ１はｘ２よりも小さく、ｙ１はｙ２よりも小さい。書式情報１４１は、各記入領域をこのｘ１、ｘ２、ｙ１、ｙ２に相当する数値により定めている。
【００２８】
３．動作
次に、画像処理システム９の動作のうち、特に画像処理装置１の動作を中心に説明する。
図８は、画像処理装置１における帳票読み取りの動作の流れを表すフロー図である。表示部１６には、帳票名リスト１４１０の内容が表示されている。ユーザが、表示部１６の表示を見ながら操作部１５の十字キーとボタンを操作して、これから読み取る帳票の帳票名を選択すると、ＣＰＵ１１は、選択された帳票名を取得してＲＡＭ１３に記憶する（ステップＳ１０１）。次に、ユーザが、画像取得部１７の図示しない原稿自動送り装置（ＡＤＦ：Auto Document Feeder）に帳票を頁順に重ねて置き、操作部１５を操作して帳票読み取りの指示をすると、画像取得部１７は、ＣＰＵ１１の制御の下、上記の帳票を１頁ずつスキャンし、スキャンした頁から生成した画像データをその頁数に関連付けてＣＰＵ１１に送る。ＣＰＵ１１は、取得した画像データをその頁数と対応付けてＲＡＭ１３に記憶する（ステップＳ１０２）。すなわち、画像取得部１７とＣＰＵ１１は、複数の頁の各画像を表す画像データを取得する画像データ取得手段として機能する。また、ＲＡＭ１３に記憶されたこの頁数が示す頁は、帳票に含まれる複数の頁のうち少なくともいずれか１つの頁である特定頁であり、ＲＡＭ１３に記憶されたこの画像データは、特定頁の画像を表す画像データである。
【００２９】
ＣＰＵ１１は、書式情報１４１の帳票名リスト１４１０からステップＳ１０１で取得した帳票名を検索して、この帳票名に対応する領域定義表１４１１と送付先定義表１４１２を特定する。そして、ＣＰＵ１１は、この領域定義表１４１１の添付先情報のフィールドを参照して、上記の画像データの頁数に対応する各記入領域の添付先情報を取得し、取得した添付先情報が「−」であるか否かを記入領域毎に判断する（ステップＳ１０３）。取得した添付先情報が「−」であると判断した場合、すなわち、記入領域に添付先が定められていない場合には（ステップＳ１０３；ＹＥＳ）、ＣＰＵ１１は、次のステップに進む。一方、取得した添付先情報が「−」でないと判断した場合には（ステップＳ１０３；ＮＯ）、ＣＰＵ１１は、上記の画像データから、その記入領域の記入領域位置情報で示される矩形部分のデータを、文字を表す文字画像データとして抽出する（ステップＳ１０４）。すなわち、ＣＰＵ１１は、画像データ取得手段により取得された画像データであって、複数の頁のうち少なくともいずれか１つの頁である特定頁の画像を表す画像データから、当該特定頁の画像データに含まれる、文字を表す文字画像データを抽出する抽出手段として機能する。また、領域定義表１４１１において頁に応じて決められている記入領域毎の添付先情報が「−」でない場合には、その記入領域の記入領域位置情報で示される矩形部分のデータは特定頁に応じて決められた領域にある文字画像データである。つまりこの場合、ＣＰＵ１１は、特定頁の画像を表す画像データから、当該特定頁に応じて決められた領域にある文字画像データを抽出する抽出手段として機能する。
【００３０】
そして、ＣＰＵ１１は、文字認識処理を行うことにより、抽出した文字画像データから文字情報を生成する（ステップＳ１０５）。すなわち、この文字情報は、抽出手段により抽出された文字画像データに文字認識処理を施して得られた文字を示す文字情報である。そして、ＣＰＵ１１は、生成した文字情報を、特定頁に対応付けるとともに、添付先情報で示される添付先の頁、すなわち、特定頁以外の頁にそれぞれ対応付けてＲＡＭ１３に記憶する（ステップＳ１０６）。
【００３１】
例えば、帳票名「配送表Ａ」の１頁目を読み込んだ場合、記入領域の番号１に対応付けられた添付先は「２，３」であるから、ＣＰＵ１１は、記入領域の番号１に対応する図４の記入領域Ｂ１１１の文字画像データから「富士一郎」という文字列を生成し、この記入領域Ｂ１１１のタグ名である「氏名」と組み合わせて「＜氏名＞富士一郎＜／氏名＞」という文字列からなる文字情報を生成する。そして、ＣＰＵ１１は、生成したこの文字情報を頁２、頁３にそれぞれ対応付けてＲＡＭ１３に記憶する。
【００３２】
画像取得部１７が読み込んだ頁の全ての記入領域について上述の処理、すなわち、ステップＳ１０３〜ステップＳ１０６の処理を行った後、ＣＰＵ１１は、送付先定義表１４１２を参照して、その頁について定められた送付領域情報を取得する（ステップＳ１０７）。そして、上記の画像データからこの送付領域情報で示される番号の記入領域の画像データを、部分画像データとして抽出してＲＡＭ１３に記憶する（ステップＳ１０８）。すなわち、この部分画像データは、或る頁の画像データにおいて予め定められた領域にある画像データである。
【００３３】
次に、ＣＰＵ１１は、この頁にステップＳ１０６で対応付けられた文字情報があるか否かを判断し（ステップＳ１０９）、対応付けられた文字情報があると判断した場合には（ステップＳ１０９；ＹＥＳ）、部分画像データにその文字情報を添付し（ステップＳ１１０）、処理をステップＳ１１１に進める。一方、対応付けられた文字情報がないと判断した場合には（ステップＳ１０９；ＮＯ）、ＣＰＵ１１は、直接、処理をステップＳ１１１に進める。
【００３４】
ステップＳ１１１において、ＣＰＵ１１は、送付先定義表１４１２を参照して、その頁について定められた送付先情報を取得し（ステップＳ１１１）、部分画像データを送付先情報によって示される送付先に送付する（ステップＳ１１２）。したがって、ＣＰＵ１１は、抽出手段により抽出された文字画像データを、特定頁以外の頁の画像データに対応付けて、当該特定頁以外の頁に応じて決められた出力先へ出力する出力手段として機能する。
【００３５】
また、このとき、部分画像データに文字情報が添付されていれば、その文字情報は、部分画像データとともに送付先に送付される。特にこの文字情報が、添付先情報で示される添付先の頁、すなわち、特定頁以外の頁に対応付けられたものである場合には、この部分画像データは特定頁以外の頁の画像データにおいて予め定められた領域にある画像データである。したがって、ＣＰＵ１１は、抽出手段により抽出された文字画像データに文字認識処理を施して得られた文字を示す文字情報を、特定頁における当該文字画像データの位置に応じて決められた、当該特定頁以外の頁の画像データにおいて予め定められた領域にある画像データに対応付けて出力する出力手段として機能する。
そして、ＣＰＵ１１は、帳票に次頁があるか否かを判断し（ステップＳ１１３）、次頁があると判断した場合には（ステップＳ１１３；ＹＥＳ）、処理をステップＳ１０２に戻す。一方、次頁がないと判断した場合には（ステップＳ１１３；ＮＯ）、ＣＰＵ１１は、処理を終了する。
【００３６】
例えば、１頁目について定められた送付領域情報には記入領域の番号として「１，１０」が記述されている。これらは例えば、図４に示す記入領域Ｂ１１１、Ｂ１５１に対応する。記入領域Ｂ１１１、Ｂ１５１は、上述したように印鑑が捺印される領域である捺印領域Ｂ１１０、Ｂ１５０が重畳している領域である。この捺印領域に表される印影は文字認識処理では認識されないため、文字認識処理で得られる文字情報に基づいてこの印影について判断することができない。ＣＰＵ１１は、文字認識の結果である文字情報とは別にこの記入領域にある画像データである部分画像データを各頁に対応付けて記憶するため、文字情報において欠落した情報が部分画像データによって補われる。
【００３７】
以上により、画像処理システム９は、複数の頁のうちいずれか１つの頁の画像に含まれる、文字を表す文字画像データを、他の頁の画像に含まれる部分画像データと関連付けて処理することができる。複写帳票において複写された文字は、筆圧のばらつきや感圧紙の感度のばらつき等により、元の文字に比べてかすれたり、薄くなったりすることが多い。このようにかすれたり薄くなったりした文字に対して文字認識処理を行うと文字誤認が生じる可能性が高い。画像処理システム９では、例えば、複写帳票を読み込んだときに、複写された文字を有する頁を処理する外部処理装置２には、その文字の複写元の文字を表す文字情報が添付された、その頁の部分画像データが出力される。したがって、この画像処理システム９によれば、複写元の文字に対して一回の文字認識処理を行った結果を、複写先の文字に再利用することによって、処理にかかる時間や資源を節約することができる。また、この画像処理システム９によれば、複写先よりも文字が鮮明な複写元の文字に対して文字認識処理を行うので、文字の誤認を低減させることができる。
【００３８】
４．変形例
以上が実施形態の説明であるが、この実施形態の内容は以下のように変形し得る。また、以下の変形例を組み合わせてもよい。
（１）上述の実施形態において、ＣＰＵ１１は、特定頁に対応付けられた文字情報があると判断した場合には、部分画像データにその文字情報を添付していたが、ＣＰＵ１１は、文字情報に替えて文字画像データを添付してもよい。この場合、文字認識処理は送付先で行ってもよい。例えば、外部処理装置２は、部分画像データに添付して送付された文字画像データを画像処理装置１から受け取ると、外部処理装置２のＣＰＵがこの文字画像データから文字認識処理により文字情報を生成してもよい。要するに、ＣＰＵ１１は、抽出手段により抽出された文字画像データを、特定頁における当該文字画像データの位置に応じて決められた、当該特定頁以外の頁の画像データに対応付けて出力する出力手段として機能すればよい。
なお、上述の実施形態において、添付先情報に「−」以外が記述されている頁、すなわち特定頁は１頁目のみであったが、２頁以降の頁の添付先情報に「−」以外が記述されていてもよい。この場合、１頁目を特定頁としてときの特定頁以外の頁においても、特定頁となり得る。
【００３９】
（２）上述の実施形態において、ＣＰＵ１１は、特定頁以外の頁の部分画像データに対応付けられた文字情報があると判断した場合には、この部分画像データにその文字情報を添付していたが、特定頁以外の頁の画像データそのものに、文字情報を添付してもよい。要するに、ＣＰＵ１１は、抽出手段により抽出された文字画像データを、前記特定頁における当該文字画像データの位置に応じて決められた、当該特定頁以外の頁の画像データに対応付けて出力する出力手段として機能すればよい。
【００４０】
（３）画像取得部１７は、特定頁と特定頁以外の頁のそれぞれについて、互いに異なる解像度で画像データを読み取ってもよい。文字認識処理を行う画像データは分解能が高いほど高精度で文字認識されるので、高解像度で読み取られた画像データの方が、低解像度で読み取られた画像データよりも、文字画像データに適している。したがって、この場合、画像取得部１７は、ＣＰＵ１１の制御の下、文字画像データを抽出する特定頁については、特定頁以外の頁よりも高い解像度で頁を読み取り、画像データを生成する。
【００４１】
（４）また、画像取得部１７は、特定頁と特定頁以外の頁のそれぞれについて、互いに異なる階調で画像データを読み取ってもよい。文字認識処理は、例えば、白と黒の二階調で表されるモノクロ画像であっても処理を行うことができる。そして、画像データを低い階調にすることで、通信負荷を低減させ、記憶容量を節約することができる。一方、部分画像データは、上述したように印影等の確認のために用いられるのであるから、階調が高いほど、確認に適しており、また、例えば、色情報が欠落したモノクロ画像では、この目的を達成できない場合もある。したがって、この場合、画像取得部１７は、ＣＰＵ１１の制御の下、文字画像データを抽出する特定頁については、特定頁以外の頁よりも低い解像度で頁を読み取り、画像データを生成する。
【００４２】
（５）上述の実施形態において、送付先定義表１４１２には、頁に応じて決められた出力先を特定する情報である送付先情報が記述されていたが、頁に応じて出力先が決められていなくてもよい。要するに、ＣＰＵ１１は、抽出手段により抽出された文字画像データを、特定頁における当該文字画像データの位置に応じて決められた、当該特定頁以外の頁の画像データに対応付けて出力すればよい。
【００４３】
（６）上述の実施形態において、ＣＰＵ１１は、ユーザにより選択された帳票名を取得して、取得した画像データの書式を特定したが、取得した画像データの書式は画像データそのものを解析することにより自動で特定されてもよい。この場合、記憶部１４には、複数種類の頁の書式を表す書式情報が記憶されている。すなわち、記憶部１４は、複数種類の頁の書式を表す書式情報を記憶する書式情報記憶手段の一例である。そして、ＣＰＵ１１は、画像取得部１７から画像データを取得すると、この取得した画像データに対してラベリング処理等の解析を行って、罫線等の線の位置および配置等からこの画像データの書式情報を求める。そして、ＣＰＵ１１は、求めた書式情報に対して、記憶部１４に記憶されている書式の書式情報とパターンマッチング処理等を行い、画像データが表す頁の書式を特定すればよい。すなわち、このＣＰＵ１１は、画像データ取得手段により取得された画像データを解析して当該画像データが表す頁の書式を表す書式情報を求め、書式情報記憶手段が記憶する書式情報と比較して、当該頁の書式を特定する書式特定手段として機能する。なお、各画像データの書式の特定には、予め定められた領域の記載内容を用いてもよい。具体的には例えば、頁表示領域Ｂ１０，Ｂ２０，Ｂ３０の記載内容を解析し、解析結果により書式を特定してもよい。
【００４４】
（７）上述の変形例１と変形例２とを組み合わせた場合において、ＣＰＵ１１は、抽出手段により抽出された文字画像データを、特定頁における当該文字画像データの位置に応じて決められた、当該特定頁以外の頁の画像データに対応付けて出力する出力手段として機能するが、ＣＰＵ１１は、特定頁における文字画像データを、特定頁以外の頁の画像データにおいてその位置に応じた領域にある画像データと置き換えてもよい。つまり、この場合、ＣＰＵ１１は、抽出手段により抽出された文字画像データを、特定頁以外の頁の画像データにおいて当該文字画像データの位置に応じた領域にある画像データと置き換えて出力する出力手段として機能する。
【００４５】
（８）上述の実施形態において、ＣＰＵ１１は、１頁分スキャンする度にその頁の部分画像を送付していたが、一組の帳票をまとめてスキャンしてから送付の処理をしてもよい。
また、上述の実施形態において、送付先定義表１４１２には送付先情報として外部処理装置２の識別情報が記述されていたが、送付先定義表１４１２には送付先情報として、記憶部１４において複数に区分された記憶領域の識別情報をそれぞれ記述してもよい。複数に区分された記憶領域の識別情報とは、例えば、ＵＲＬやファイルパスであってもよいし、物理アドレス等であってもよい。この場合、ＣＰＵ１１は頁毎に、送付先定義表１４１２の送付先情報に記述された識別情報が示す各記憶領域へ、その頁の画像データとこれに添付された文字情報とを格納する。そして、画像処理装置１は、外部処理装置２のそれぞれに、これらの各記憶領域から画像データを取り出す権限を設定しておけばよい。この場合、外部処理装置２の識別情報と記憶領域の識別情報がそれぞれ対応付けられていればよい。
【００４６】
（９）画像処理装置１のＣＰＵ１１によって実行される各プログラムは、磁気テープや磁気ディスクなどの磁気記録媒体、光ディスクなどの光記録媒体、光磁気記録媒体、半導体メモリなどの、コンピュータ装置が読み取り可能な記録媒体に記憶された状態で提供し得る。また、このプログラムを、インターネットのようなネットワーク経由でダウンロードさせることも可能である。なお、このような制御を行う制御手段としてはＣＰＵ以外にも種々の装置を適用することができ、例えば、専用のプロセッサなどを用いてもよい。
また、記憶部１４、操作部１５、表示部１６、及び画像取得部１７はそれぞれ、通信部１８を介して接続する外部機器を用いてもよい。この場合に、ＣＰＵ１１は、各外部機器を、通信部１８を介して制御すればよい。
【符号の説明】
【００４７】
１…画像処理装置、１１…ＣＰＵ、１２…ＲＯＭ、１３…ＲＡＭ、１４…記憶部、１４１…書式情報、１４１０…帳票名リスト、１４１１…領域定義表、１４１２…送付先定義表、１５…操作部、１６…表示部、１７…画像取得部、１８…通信部、２…外部処理装置、３…ローカルネットワーク、４…通信ネットワーク、９…画像処理システム。
【図１】
2011008446.tif 000003
【図２】
2011008446.tif 000004
【図３】
2011008446.tif 000005
【図４】
2011008446.tif 000006
【図５】
2011008446.tif 000007
【図６】
2011008446.tif 000008
【図７】
2011008446.tif 000009
【図８】
2011008446.tif 000010